(57)【要約】  【課題】  撮像装置で作成した画像ファイルのファイル名を容易に変更することが可能な画像処理装置を提供する。  【解決手段】  画像処理装置であるパーソナルコンピュータ(200)は、デジタルカメラが作成した画像ファイルを与えられて、その画像ファイルのファイル名に含まれる第１の文字列を、第２の文字列で置換する。第１の文字列はファイル名としてデジタルカメラで使用可能な文字のみより成り、第２の文字列はパーソナルコンピュータで使用可能な全ての文字より成る。第１の文字列と第２の文字列はキーボード(36)を介して入力され、互いの対応関係を示すルックアップテーブルとしてハードディスク(33)に記憶される。【選択図】      図７
2005157615.tif 000002
【特許請求の範囲】
【請求項１】
画像ファイルに記録されている画像を処理する画像処理装置において、
撮像装置によって作成された画像ファイルまたは画像ファイルを収容した画像フォルダを読み取る読み取り手段と、
画像ファイルのファイル名または画像フォルダのフォルダ名として撮像装置で使用可能な文字のみから成る第１の文字列の入力を受け付ける第１の入力手段と、
第２の文字列の入力を受け付ける第２の入力手段と、
第１の文字列と第２の文字列を記憶する記憶手段と、
画像ファイルのファイル名または画像フォルダのフォルダ名に含まれる第１の文字列を第２の文字列に変換する変換手段
を備えることを特徴とする画像処理装置。
【請求項２】
前記記憶手段は、第１の文字列と第２の文字列とを対応づけて複数記憶し、
前記変換手段は、前記記憶手段が記憶している第１の文字列と第２の文字列との対応に従って、画像ファイルのファイル名または画像フォルダのフォルダ名に含まれる第１の文字列を第２の文字列に変換することを特徴とする請求項１に記載の画像処理装置。
【請求項３】
第３の文字列の入力を受け付ける第３の入力手段を備え、
前記記憶手段は、第３の文字列も記憶し、
前記変換手段は、画像ファイルのファイル名または画像フォルダのフォルダ名に第３の文字列が含まれないときにのみ、第１の文字列を第２の文字列に変換することを特徴とする請求項１または請求項２に記載の画像処理装置。
【請求項４】
第３の文字列の入力を受け付ける第３の入力手段と、
画像ファイルまたは画像フォルダを削除する削除手段を備え、
前記記憶手段は、第３の文字列も記憶し、
前記削除手段は、ファイル名またはフォルダ名に第３の文字列が含まれない画像ファイルまたは画像フォルダのみを削除することを特徴とする請求項１または請求項２に記載の画像処理装置。
【請求項５】
画像ファイルまたは画像フォルダを記録媒体に記録する記録手段を備え、
前記変換手段は、画像ファイルのファイル名または画像フォルダのフォルダ名に含まれる第２の文字列を第１の文字列に変換し、
前記記録手段は、前記変換手段がファイル名またはフォルダ名に含まれる第２の文字列を第１の文字列に変換した画像ファイルまたは画像フォルダを記録媒体に記録するときに、前記変換手段に関する情報を記録媒体に記録することを特徴とする請求項１から請求項４までのいずれか１項に記載の画像処理装置。
【請求項６】
画像ファイルに記録されている画像の処理をコンピュータに実行させる命令が記された画像処理プログラムにおいて、
撮像装置によって作成された画像ファイルまたは画像ファイルを収容した画像フォルダを読み取る命令と、
画像ファイルのファイル名または画像フォルダのフォルダ名として撮像装置で使用可能な文字のみから成る第１の文字列の入力を受け付ける命令と、
第２の文字列の入力を受け付ける命令と、
第１の文字列と第２の文字列を記憶する命令と、
画像ファイルのファイル名または画像フォルダのフォルダ名に含まれる第１の文字列を第２の文字列に変換する命令
が記されていることを特徴とする画像処理プログラム。
【請求項７】
画像を撮影し、撮影した画像を記録した画像ファイルを作成する撮像装置において、
画像ファイルのファイル名または画像ファイルを収容する画像フォルダのフォルダ名として当該撮像装置で使用可能な文字のみから成る文字列の入力を受け付ける入力手段と、
前記入力手段を介して入力された文字列を含む画像ファイルのファイル名、もしくは前記入力手段を介して入力された文字列を含む画像フォルダのフォルダ名の変更、または、前記入力手段を介して入力された文字列をファイル名に含む画像ファイル、もしくは前記入力手段を介して入力された文字列をフォルダ名に含む画像フォルダの削除を禁止するための情報を記録する記録手段
を備えることを特徴とする撮像装置。
【請求項８】
前記記録手段は、画像ファイルのファイル名もしくは画像フォルダのフォルダ名の変更、または画像ファイルもしくは画像フォルダの削除を禁止するための情報を、画像ファイルまたは画像フォルダのタグに記録することを特徴とする請求項７に記載の撮像装置。
【発明の詳細な説明】
【技術分野】
【０００１】
本発明は、画像を撮影して画像ファイルに記録する撮像装置、および画像ファイルに記録されている画像を処理する画像処理装置に関し、特に、画像ファイルのファイル名および画像ファイルを収容する画像フォルダのフォルダ名の変更、ならびに画像ファイルおよび画像フォルダの削除に関する。
【背景技術】
【０００２】
デジタルカメラでは、光電変換素子によって画像を撮影し、光電変換素子の出力信号に所定の処理を施すことにより撮影した画像を表す画像データを生成して、生成した画像データを記録したファイルを作成する。画像データを記録したファイルは画像ファイルと呼ばれ、画像ごとに作成される。デジタルカメラは、ＤＣＦ（デジタルカメラフォーマット）と呼ばれる規格で定められた書式に従って画像ファイルを作成し、作成した画像ファイルに同規格で定められた文字列から成るファイル名を付与する。
【０００３】
ＤＣＦ規格では、ファイル名は４文字の前半部と４文字の後半部より成り、前半部には英字（Ａ〜Ｚ）とアンダーバーのみが使用され、後半部には数字（０〜９）のみが使用される。前半部は使用者が設定することが可能である。使用者が前半部を設定しないときには、所定の文字列、例えば「ＰＩＣＴ」が前半部とされる。後半部の数字は、デジタルカメラが設定するもので、前半部が同一のファイル名を区別するために連番とされる。また、ファイル名の後に、書式を示す拡張子が付加される。
【０００４】
管理を容易にするために、画像ファイルは、作成されるごとに、所定のフォルダに収容される。画像ファイルを収容するフォルダは画像フォルダと呼ばれる。新たなフォルダ名を有する画像フォルダを作成し、これをその後に作成する画像ファイルを収容するための所定の画像フォルダとすることも可能である。
【０００５】
画像フォルダのフォルダ名もＤＣＦ規格で定められている。フォルダ名は３文字の前半部と５文字の後半部より成り、前半部には数字（０〜９）のみが使用され、後半部には英数字（Ａ〜Ｚ、０〜９）とアンダーバーのみが使用される。新たな画像フォルダの作成に際し、使用者はフォルダ名の後半部を設定することができる。使用者が後半部を設定しないときには、所定の文字列、例えば「ＭＬＴ０１」が後半部とされる。前半部の数字は、デジタルカメラが設定するもので、後半部が同一のフォルダ名を区別するために連番とされる。フォルダ名には拡張子は付加されない。
【０００６】
デジタルカメラで作成した画像ファイルをパーソナルコンピュータで読み取って、パーソナルコンピュータで画像を再生したり編集したりすることが行われている。また、パーソナルコンピュータで画像を生成し、生成した画像を表す画像データを記録した画像ファイルを作成することも行われている。デジタルカメラからパーソナルコンピュータへの画像ファイルの供与は、ファイル単位で行うことが可能であり、フォルダ単位でまとめて行うことも可能である。
【０００７】
パーソナルコンピュータでは、ファイル名やフォルダ名の長さ、あるいは、ファイル名やフォルダ名として使用し得る文字に一定の制約はあるものの、ファイル名およびフォルダ名に関する制約はデジタルカメラに比べて遙かに少ない。例えば、３文字以下あるいは９文字以上のファイル名やフォルダ名とすることや、日本語の漢字等をファイル名やフォルダ名として使用することができる。
【０００８】
また、パーソナルコンピュータでは、ファイル名やフォルダ名を変更（リネーム）することが可能であり、使用者は、例えば、デジタルカメラで作成した画像ファイルのファイル名を、より内容の判り易いものに変えることができる。デジタルカメラにおいても、画像ファイルのファイル名の前半部や、画像フォルダのフォルダ名の後半部を変更することは可能であるが、文字数および使用可能な文字には前述のように大きな制約がある。
【０００９】
パーソナルコンピュータでは、ファイルやフォルダを削除することができる。しかしながら、全てのファイルやフォルダを任意に削除できるようにすると、使用者の誤操作によって重要なファイルが失われてしまうおそれがある。特に、フォルダを削除すると、それに含まれているファイルも全て削除されるため、重要なファイルが失われる可能性が高くなる。このため、削除し得るファイルやフォルダを制限することが行われている。
【００１０】
例えば、特開平５−８１１１３号公報では、削除を禁止するファイルにキーワードを定めて、正しいキーワードが入力されたときに限ってそのファイルを削除することが提案されている。また、特開平５−２１０５５０号公報では、ファイルごとに削除を不可とする期間を定めて、その期間内では削除を行わないようにすることが提案されている。
【特許文献１】特開平５−８１１１３号公報
【特許文献２】特開平５−２１０５５０号公報
【発明の開示】
【発明が解決しようとする課題】
【００１１】
デジタルカメラで作成した画像ファイルのファイル名や画像フォルダのフォルダ名を、パーソナルコンピュータで任意のファイル名やフォルダ名に変え得ることは、使用者にとって便利である。しかしながら、ファイル名やフォルダ名を変更する際には、ファイル名（フォルダ名）を変更しようとするファイル（フォルダ）を指定し、変更後のファイル名（フォルダ名）を入力する必要があり、ファイル名やフォルダ名を変更するごとにこれらの操作を行うのは煩雑である。
【００１２】
ファイル名やフォルダ名に含まれる一部の文字列のみを変更するとともに、その文字列を含む全てのファイル名やフォルダ名を一括して変更することにより、ファイル名やフォルダ名の変更を容易にすることも行われているが、ファイル名やフォルダ名を変更するごとに変更後の文字列を入力する必要があることに変わりはない。
【００１３】
また、デジタルカメラで作成した画像ファイルのファイル名の前半部を、使用者が指定する文字列に変更するパーソナルコンピュータ用のソフトウェアが開発されているが、やはり、ファイル名を変更するごとに文字列を入力する必要がある。しかも、このソフトウェアは、デジタルカメラの使用者が前半部を設定しなかったファイル名、すなわち特定の前半部を有するファイル名を変更の対象としており、デジタルカメラの使用者が前半部を設定したファイル名や、デジタルカメラで前半部を変更したファイル名については、変更することができない。
【００１４】
さらに、前述のように、パーソナルコンピュータではファイルやフォルダの削除に関して制限を加えることが行われているが、パーソナルコンピュータでもデジタルカメラでも、画像ファイルのファイル名の変更および画像フォルダのフォルダ名の変更については制限が加えられていない。このため、意図しないファイル名やフォルダ名を変更してしまい、画像ファイルの存在が判らなくなることがある。
【００１５】
また、ファイル名やフォルダ名を変更した後、変更前のファイル名やフォルダ名を情報として画像ファイルや画像フォルダに記録しておくことや、変更前のファイル名やフォルダ名と変更後のファイル名やフォルダ名の対応関係を記録したファイルを残しておくことも行われていない。このため、変更したファイル名やフォルダ名を元のファイル名やフォルダ名に戻すための操作が煩雑である。
【００１６】
本発明は、このような問題点に鑑みてなされたもので、撮像装置で作成した画像ファイルのファイル名や画像フォルダのフォルダ名を容易に変更することが可能な画像処理装置、および画像処理プログラムを提供することを目的とする。また、画像ファイルのファイル名や画像フォルダのフォルダ名の変更、および画像ファイルや画像フォルダの削除を簡単に制限することが可能な撮像装置を提供することを目的とする。
【課題を解決するための手段】
【００１７】
上記目的を達成するために、本発明では、画像ファイルに記録されている画像を処理する画像処理装置において、撮像装置によって作成された画像ファイルまたは画像ファイルを収容した画像フォルダを読み取る読み取り手段と、画像ファイルのファイル名または画像フォルダのフォルダ名として撮像装置で使用可能な文字のみから成る第１の文字列の入力を受け付ける第１の入力手段と、第２の文字列の入力を受け付ける第２の入力手段と、第１の文字列と第２の文字列を記憶する記憶手段と、画像ファイルのファイル名または画像フォルダのフォルダ名に含まれる第１の文字列を第２の文字列に変換する変換手段を備えるようにする。
【００１８】
この画像処理装置は、撮像装置が作成した画像ファイルのファイル名または画像フォルダのフォルダ名を変更するが、変更に際しては、ファイル名またはフォルダ名のうち第１の文字列の部分を第２の文字列で置き換える。第１の文字列は撮像装置で使用可能な文字のみから成るが、第２の文字列にはそのような制約はなく、画像処理装置でファイル名またはフォルダ名として使用し得る文字であれば第２の文字列に含めることができる。したがって、変更後のファイル名を画像ファイルの内容が判り易いものにしたり、変更後のフォルダ名を収容する画像ファイルの関連が判り易いものにしたりすることができる。
【００１９】
ファイル名やフォルダ名が第１の文字列のみから成るときはファイル名またはフォルダ名の全体が変更されることになり、ファイル名やフォルダ名が第１の文字列以外にも文字列を含むときはファイル名やフォルダ名の一部分が変更されることになる。また、第１の文字列と第２の文字列を記憶しておくため、使用者は、ファイル名やフォルダ名を変更するごとに第１の文字列と第２の文字列を入力する必要はない。しかも、第１の文字列を含む全てのファイル名やフォルダ名を一度に変更することができる。
【００２０】
ここで、前記記憶手段は、第１の文字列と第２の文字列とを対応づけて複数記憶し、前記変換手段は、前記記憶手段が記憶している第１の文字列と第２の文字列との対応に従って、画像ファイルのファイル名または画像フォルダのフォルダ名に含まれる第１の文字列を第２の文字列に変換するようにするとよい。このようにすると、変換対象である第１の文字列が１つに限られなくなって、様々なファイル名やフォルダ名を変更することが可能になる。例えば、デジタルカメラの使用者が、画像に応じてファイル名の前半部を複数設定するときでも、それらの前半部をそれぞれ第１の文字列とすることで、全ての画像ファイルのファイル名を変更することができる。
【００２１】
第３の文字列の入力を受け付ける第３の入力手段を備え、前記記憶手段は、第３の文字列も記憶し、前記変換手段は、画像ファイルのファイル名または画像フォルダのフォルダ名に第３の文字列が含まれないときにのみ、第１の文字列を第２の文字列に変換するようにするとよい。このようにすると、第１の文字列を含むファイル名やフォルダ名であっても、第３の文字列をも含むときには変更されないことになり、特定のファイル名やフォルダ名の変更を禁止することができる。
【００２２】
第３の文字列の入力を受け付ける第３の入力手段と、画像ファイルまたは画像フォルダを削除する削除手段を備え、前記記憶手段は、第３の文字列も記憶し、前記削除手段は、ファイル名またはフォルダ名に第３の文字列が含まれない画像ファイルまたは画像フォルダのみを削除するようにしてもよい。このようにすると、一般には画像ファイルや画像フォルダの削除を可能としながら、特定の画像ファイルや画像フォルダの削除を禁止することができる。
【００２３】
また、画像ファイルまたは画像フォルダを記録媒体に記録する記録手段を備え、前記変換手段は、画像ファイルのファイル名または画像フォルダのフォルダ名に含まれる第２の文字列を第１の文字列に変換し、前記記録手段は、前記変換手段がファイル名またはフォルダ名に含まれる第２の文字列を第１の文字列に変換した画像ファイルまたは画像フォルダを記録媒体に記録するときに、前記変換手段に関する情報を記録媒体に記録するようにするとよい。
【００２４】
第２の文字列を第１の文字列に変換することで、変更後のファイル名やフォルダ名を元に戻したり、画像処理装置自体が作成した画像ファイルのファイル名や画像フォルダのフォルダ名を撮像装置に適合するファイル名やフォルダ名に変更したりすることができるようになる。しかも、画像ファイルや画像フォルダと共に変換手段に関する情報を記録媒体に記録しておくから、その記録媒体から画像ファイルや画像フォルダを再度読み出すときに、変換手段を特定することができる。
【００２５】
前記目的を達成するために、本発明ではまた、画像ファイルに記録されている画像の処理をコンピュータに実行させる命令が記された画像処理プログラムにおいて、撮像装置によって作成された画像ファイルまたは画像ファイルを収容した画像フォルダを読み取る命令と、画像ファイルのファイル名または画像フォルダのフォルダ名として撮像装置で使用可能な文字のみから成る第１の文字列の入力を受け付ける命令と、第２の文字列の入力を受け付ける命令と、第１の文字列と第２の文字列を記憶する命令と、画像ファイルのファイル名または画像フォルダのフォルダ名に含まれる第１の文字列を第２の文字列に変換する命令が記されているようにする。
【００２６】
前記目的を達成するために、本発明ではさらにまた、画像を撮影し、撮影した画像を記録した画像ファイルを作成する撮像装置において、画像ファイルのファイル名または画像ファイルを収容する画像フォルダのフォルダ名として当該撮像装置で使用可能な文字のみから成る文字列の入力を受け付ける入力手段と、前記入力手段を介して入力された文字列を含む画像ファイルのファイル名、もしくは前記入力手段を介して入力された文字列を含む画像フォルダのフォルダ名の変更、または、前記入力手段を介して入力された文字列をファイル名に含む画像ファイル、もしくは前記入力手段を介して入力された文字列をフォルダ名に含む画像フォルダの削除を禁止するための情報を記録する記録手段を備えるようにする。
【００２７】
この撮像装置では、記録手段が記録する情報によって、画像ファイルのファイル名や画像フォルダのフォルダ名の変更、あるいは、画像ファイルや画像フォルダの削除を禁止することができる。したがって、画像ファイルのファイル名や画像フォルダのフォルダ名が判らなくなったり、重要な画像ファイルが失われたりするのを防止することが可能になる。
【００２８】
ここで、前記記録手段は、画像ファイルのファイル名もしくは画像フォルダのフォルダ名の変更、または画像ファイルもしくは画像フォルダの削除を禁止するための情報を、画像ファイルまたは画像フォルダのタグに記録するとよい。画像ファイルや画像フォルダ自体に情報を記録しておくことで、情報の管理が容易になる。また、画像ファイルや画像フォルダを画像処理装置に提供するときに、画像処理装置でも、その情報に従ってファイル名やフォルダ名の変更、あるいは画像ファイルや画像フォルダの削除を禁止することができる。
【発明の効果】
【００２９】
画像ファイルのファイル名または画像フォルダのフォルダ名として撮像装置で使用可能な文字のみから成る第１の文字列と、第２の文字列を記憶しておき、画像ファイルのファイル名または画像フォルダのフォルダ名に含まれる第１の文字列を第２の文字列に変換するようにした本発明の画像処理装置や画像処理プログラムによれば、撮像装置で作成された画像ファイルの内容が判り易いように、そのファイル名を変更したり、収容している画像ファイルの関連が判り易いように、フォルダ名を変更したりすることができる。しかも、ファイル名やフォルダ名を変更するごとに第１の文字列と第２の文字列を入力する必要がなく、また、第１の文字列を含む全てのファイル名やフォルダ名を一度に変更することができる。
【００３０】
また、画像ファイルのファイル名や画像フォルダのフォルダ名として当該撮像装置で使用可能な文字のみから成る文字列を含む画像ファイルのファイル名や画像フォルダのフォルダ名の変更、あるいは、その文字列をファイル名やフォルダ名に含む画像ファイルや画像フォルダの削除を禁止するための情報を記録するようにした本発明の撮像装置によれば、画像ファイルのファイル名や画像フォルダのフォルダ名が判らなくなったり、重要な画像ファイルが失われたりするのを防止することができる。
【発明を実施するための最良の形態】
【００３１】
以下、本発明の実施形態について図面を参照しながら説明する。本発明の撮像装置の一実施形態であるデジタルカメラ１００を図１に示す。図１において（ａ）、（ｂ）はそれぞれデジタルカメラ１００の斜視図および背面図である。
【００３２】
デジタルカメラ１００は、前面に撮影レンズ１、ファインダ前窓３、フラッシュ発光部４、上面にレリーズボタン５、液晶表示器６、２つのモード設定ボタン７、側面に着脱可能な記録媒体１０１を装着するための挿入口８、背面に液晶表示器９、ファインダ後窓１０、ズームボタン１１、スピーカ１２、十字ボタン１３、および３つの操作ボタン１４を備えている。デジタルカメラ１００は、ＣＣＤエリアセンサ２を内蔵しており、撮影対象からの光を撮影レンズ１でＣＣＤセンサ２上に結像させて、電気信号に変換することにより画像を撮影する。
【００３３】
レリーズボタン５は、半押しされたときに、自動露光制御および自動焦点調節を指示するＳ１信号を発し、全押しされたときに、記録する画像の撮影開始と、撮影した画像の記録媒体１０１への記録を指示するＳ２信号を発する。液晶表示器６は、デジタルカメラ１００の設定状況を表示する。デジタルカメラ１００は、画像を撮影する撮影モードと、記録媒体１０１に記録されている画像を再生表示する再生モードを有しており、モード設定ボタン７はこれらのモードの切り換えの指示のために操作される。記録媒体１０１は撮影された画像を記録するもので、例えば、半導体メモリを内蔵し薄型に構成されたメモリカードを用いることができる。
【００３４】
液晶表示器９は、画像や操作を案内するための案内画面を表示する。撮影モードにおいては、略一定の周期で画像の撮影が繰り返し行われ、撮影した画像は直ちに液晶表示器９に表示される。この画像は、撮影中の被写体を表すライブビューとなり、ファインダ後窓１０を介して観察される光学像と共に、フレーミングやズーミングの参考に利用される。再生モードにおいては、記録媒体１０１に記録されている画像が１つずつ液晶表示器９に表示される。
【００３５】
ズームボタン１１は、ズームレンズである撮影レンズ１の焦点距離の設定のために操作される。デジタルカメラ１００は、所定の情報を音声によって出力する機能を有しており、スピーカ１２は音声出力に用いられる。
【００３６】
十字ボタン１３は、左右方向に並ぶ２つの接点と、上下方向に並ぶ２つの接点の計４接点を有しており、液晶表示器９に表示されるカーソル（ポインタ）の上下左右への移動を指示するために操作される。案内画面に表示された項目は、この十字ボタン１３を操作してカーソルを項目上に位置させることにより選択することができる。以下、十字ボタン１３を個別に、上ボタン、下ボタン、左ボタン、右ボタンとも呼ぶ。
【００３７】
３つの操作ボタン１４は、案内画面を液晶表示器９に表示する指示や、液晶表示器９に案内画面が表示されているときに、選択した項目を決定する指示を与えるために操作される。３つの操作ボタン１４の機能は、表示される案内画面に応じて変化する。操作ボタン１４の機能は、撮影条件に関するものと、画像を記録する画像ファイルおよび画像ファイルを収容する画像フォルダに関するものに大別される。
【００３８】
デジタルカメラ１００は、ＤＣＦ規格に従って画像ファイルを作成し、画像ファイルのファイル名は４文字の英字（Ａ〜Ｚ）とアンダーバーのみを含む前半部と、４文字の数字（０〜９）のみを含む後半部より成るファイル名を画像ファイルに付与する。また、ファイル名には、画像ファイルの書式を示す拡張子を末尾に付加する。デジタルカメラ１００は、また、ＤＣＦ規格に従って画像フォルダを作成し、画像フォルダのフォルダ名は３文字の数字（０〜９）のみを含む前半部と、５文字の英数字（Ａ〜Ｚ、０〜９）とアンダーバーのみを含む後半部より成るフォルダ名を画像フォルダに付与する。
【００３９】
ファイル名の前半部は使用者が設定することが可能であり、使用者は前半部の設定を適宜変更することができる。使用者が設定しないときは、例えば「ＰＩＣＴ」という文字列が前半部として用いられる。また、使用者は、記録媒体１０１に記録されている画像ファイルのファイル名を変更することができるし、記録媒体１０１に記録されている画像ファイルを削除することができる。ただし、ファイル名の変更は前半部のみに限られる。
【００４０】
フォルダ名の後半部は使用者が設定することが可能であり、使用者は後半部の設定を適宜変更することができる。使用者が設定しないときは、例えば「ＭＬＴ０１」という文字列が後半部として用いられる。また、使用者は、記録媒体１０１に記録されている画像フォルダのフォルダ名を変更することができるし、記録媒体１０１に記録されている画像フォルダを、それに含まれている全ての画像ファイルと共に、削除することができる。ただし、フォルダ名の変更は後半部のみに限られる。
【００４１】
画像ファイルおよび画像フォルダに関する機能で上述の操作ボタン１４を分類すれば、入力の決定を指示するための決定ボタン、ファイル名の前半部を設定するための案内画面の表示を指示するファイル名設定ボタン、フォルダ名の後半部を設定するための案内画面の表示を指示するフォルダ名設定ボタン、ファイル名やフォルダ名の変更を指示する変更ボタン、画像ファイルや画像フォルダの削除を指示する削除ボタン等がある。
【００４２】
デジタルカメラ１００の構成を図２に模式的に示す。デジタルカメラ１００は、上述の各部のほか、アナログ処理部１５、画像処理部１６、画像記憶部１７、操作部１８、記憶部１９、接続部２０、および制御部２１を備えている。制御部２１はＣＰＵを含み、デジタルカメラ１００全体の動作を制御する。制御部２１の機能には、画像の撮影や再生のほか、画像ファイルのファイル名および画像フォルダのフォルダ名の変更や、画像ファイルおよび画像フォルダの削除も含まれる。
【００４３】
アナログ処理部１５は、ＣＣＤセンサ２が出力するアナログ信号に、ゲイン調整等の処理を施して、アナログ信号をデジタル信号に変換する。画像処理部１６は、デジタル化された信号に、ホワイトバランス調整、γ補正等の処理を施して、撮影された画像を表す画像データを生成する。画像記憶部１７は画像（画像データ）を一時的に記憶する。
【００４４】
操作部１８は、使用者による操作を受け付けるもので、前述のレリーズボタン５、ズームボタン１１、十字ボタン１３、操作ボタン１４を含む。記憶部１９は、フラッシュメモリ、ＲＯＭ、ＲＡＭ等の記憶媒体を有し、制御部２１のＣＰＵが制御に用いるプログラムおよびパラメータを記憶しており、また、ファイル名の変更および画像ファイルの削除に関する情報を記憶する。
【００４５】
接続部２０は、記録媒体１０１および外部の機器に対するインターフェースを有しており、記憶媒体１０１および外部機器との間でデータを送受する。接続部２０を介してデジタルカメラ１００に接続される外部機器には、後述のパーソナルコンピュータ２００が含まれる。
【００４６】
デジタルカメラ１００におけるフォルダ構造を図３に示す。種々のフォルダを収容する「ＤＣＩＭ」というフォルダ名の一般的なフォルダが設けられており、このフォルダに全ての画像フォルダが収容され、さらに、各画像フォルダに画像ファイルが収容される。
【００４７】
画像ファイルのファイル名の前半部を設定するための案内画面を図４に示す。案内画面には前半部の文字を表示するための４つの欄が設けられている。各欄には、（ａ）に示したように、所定の文字（ここでは「Ａ」）が表示され、使用者は各欄に表示されている文字を変化させて、所望の文字とする。表示されている文字を変化させ得る欄は、他の欄とは異なる態様で表され（ここでは斜線を付して表している）、さらに、上向きの三角形と下向きの三角形の像が付される。
【００４８】
上ボタン（操作ボタン１３の一部）や下ボタンを操作するごとに、（ｂ）、（ｃ）に示したように、表示されている文字が変化する。また、左ボタンや右ボタンを操作するごとに、（ｄ）、（ｅ）に示したように、表示されている文字を変化させ得る欄が変わる。
【００４９】
制御部２１は、こうして設定された前半部に４文字の数字から成る後半部を加えて、画像ファイルのファイル名とする。使用者は、任意の時点で、ファイル名の前半部の設定を行うことができる。したがって、撮影する画像に応じて、前半部が異なるファイル名を画像ファイルに付与することが可能である。設定した前半部を有するファイル名が既に存在するときは、制御部２１は、既存の後半部の数字が示す値のうち最大のものに１を加えた値を表す数字を、後半部として定める。
【００５０】
画像フォルダのフォルダ名の後半部を設定するための案内画面を図５に示す。この案内画面は、入力する文字の欄の数が異なる点を除き、図４に示したものと同様であり、使用者が行う操作も同様である。
【００５１】
制御部２１は、設定された後半部に３文字の数字から成る前半部を加えて、画像フォルダのフォルダ名とする。この前半部は、既存のフォルダ名の前半部の数字が表す値に１を加えた値を表す数字である。こうしてフォルダ名が定められた画像フォルダは、別のフォルダ名が設定されるまで、新たに作成される画像ファイルを収容する画像フォルダとして利用される。使用者は、任意の時点でフォルダ名の後半部を設定することが可能であり、したがって、撮影する一群の画像に応じてフォルダ名を設定して、画像ファイルを分類（異なる画像フォルダに収容）することができる。
【００５２】
本発明の画像処理装置の一実施形態であるパーソナルコンピュータ２００を図６に示しし、その構成を図７に模式的に示す。パーソナルコンピュータ２００は、ＣＰＵ３１、メモリ３２、ハードディスク３３等より成る制御部３４を内蔵した本体３５、キーボード３６、マウス３７等を含む入力部３８、および表示部３９を備えている。本体３５には、前述の記録媒体１０１および光ディスク等の他の記録媒体を装着したり、デジタルカメラ１００やインターネットと接続したりするための接続部４０も備えられている。
【００５３】
パーソナルコンピュータ２００は、画像を撮影することはできないが、デジタルカメラ１００が作成した画像ファイルを記録媒体１０１から読み取って、あるいはデジタルカメラ１００から直接受信して、それに記録されている画像を再生表示したり、編集したりすることができる。記録媒体１０１からの画像ファイルの読み取りや、デジタルカメラ１００からの画像ファイルの受信は、ファイル単位で行うことが可能であり、フォルダ単位でまとめて行うことも可能である。
【００５４】
パーソナルコンピュータ２００は、また、画像ファイルを含む全てのファイルのファイル名を変更したり、画像フォルダを含む全てのフォルダのフォルダ名を変更したり、ファイルやフォルダを削除したりすることが可能である。さらに、画像ファイルや画像フォルダを記録媒体１０１に記録したり、デジタルカメラ１００に送信したりすることもできる。パーソナルコンピュータ２００自体で画像を生成して、画像ファイルとして記録することも可能である。
【００５５】
これらの処理は制御部３４のＣＰＵ３１によって行われ、その処理を記したプログラムは、ハードディスク３３に記録されている。
【００５６】
パーソナルコンピュータ２００では、多くの文字（例えば２５６文字）より成るファイル名をファイルに付与することが可能であり、１文字のみのファイル名をファイルに付与することも可能である。また、ファイル名として使用し得る文字には、英数字（Ａ〜Ｚ、ａ〜ｚ、０〜９）やアンダーバーのほか、様々な記号が含まれる。例えば、日本語の漢字もファイル名として使用可能である。文字数および使用可能な文字種に関するこの条件は、フォルダ名についても全く同様である。
【００５７】
ファイル名やフォルダ名の変更は、一般に行われているように、ファイルまたはフォルダを指定し、変更後のファイル名またはフォルダ名を入力することで、ファイルごとに、またはフォルダごとに個別に行うことができる。ただし、パーソナルコンピュータ２００は、画像ファイルのファイル名の変更および画像フォルダのフォルダ名の変更については、特別の機能を有する。
【００５８】
これは、変更前のファイル名またはフォルダ名の一部または全部を表す第１の文字列と、変更後のファイル名またはフォルダ名の一部または全部を表す第２の文字列とをあらかじめ記憶しておき、ファイル名またはフォルダ名に含まれる第１の文字列を第２の文字列で置き換えるものである。ファイル名やフォルダ名が第１の文字列のみから成るときは、ファイル名やフォルダ名の全体が変更され、ファイル名やフォルダ名が第１の文字列の他にも文字列を含むときは、ファイル名やフォルダ名の一部分が変更されることになる。
【００５９】
また、ファイル名の変更の指示が与えられたときは、第１の文字列を含む全ての画像ファイルのファイル名が一括して変更される。同様に、フォルダ名の変更の指示が与えられたときは、第１の文字列を含む全ての画像フォルダのフォルダ名が一括して変更される。なお、ファイル名の変更とフォルダ名の変更は独立に行う。
【００６０】
第１の文字列および第２の文字列は、使用者がキーボード３６を操作して入力する。入力された第１の文字列および第２の文字列は、ハードディスク３３に記憶しておく。第１の文字列と第２の文字列の組を複数入力することも可能であり、第１の文字列と第２の文字列は組ごとに対応づけられて、ルックアップテーブル（ＬＵＴ）として記憶される。
【００６１】
ここで、第１の文字列として使用し得る文字は、画像ファイルのファイル名や画像フォルダのフォルダ名としてデジタルカメラ１００で使用し得る文字に制限しておく。これは、パーソナルコンピュータ２００が取り扱う種々のファイルのうち、画像ファイルおよび画像フォルダのみをこの機能でのファイル名およびフォルダ名の変更対象として、他のファイルのファイル名や他のフォルダのフォルダ名を意図せずに変更してしまうのを防止するためである。第２の文字列にはこのような制限はなく、パーソナルコンピュータ２００でファイル名やフォルダ名として使用し得る全ての文字が使用可能である。
【００６２】
この機能により、使用者は、デジタルカメラ１００で作成した画像ファイルのファイル名を、より内容が判り易いファイル名に変更することができ、また、デジタルカメラ１００で作成した画像フォルダのフォルダ名を、収容している一群の画像ファイルの関連がより判り易いフォルダ名に変更することができる。したがって、パーソナルコンピュータ２００で画像処理をする際の能率が向上する。
【００６３】
ファイル名およびフォルダ名の変更に関する上記の機能には、ファイル名やフォルダ名に含まれる第２の文字列を第１の文字列に置き換えることも含まれる。これにより、既に変更したファイル名やフォルダ名を元のファイル名やフォルダ名に容易に戻すことできる。また、パーソナルコンピュータ２００がデジタルカメラ１００に合致する書式で作成した画像ファイルを、デジタルカメラ１００で利用することも可能になる。上述のように第１の文字列として使用し得る文字をデジタルカメラ１００で使用し得る文字に制限しておくのは、第２の文字列を第１の文字列で置き換えたときに、そのままデジタルカメラ１００で扱い得る画像ファイルや画像フォルダとするためでもある。
【００６４】
第１の文字列と第２の文字列を入力するための案内画面を図８および図９に示す。図８はファイル名を変更するための文字列を入力する画面であり、図９はフォルダ名を変更するための文字列を入力する画面である。
【００６５】
第１の文字列を入力する欄が「ファイル名１」または「フォルダ名１」の見出しの下に、第２の文字列を入力する欄が「ファイル名２」または「フォルダ名２」の見出しの下に設けられている。また、第１の文字列を入力する欄と第２の文字列を入力する欄の間には、両者の対応関係を示す「：」の記号が表示されている。使用者がキーボート３６のカーソルキーまたマウス３７を用いて選択した欄が入力の対象となり、キーボード３６より入力された文字は順次その欄に表示されていく。エンターキーの操作によってその欄の入力が確定し、入力の対象は次の欄に移る。なお、第２の文字列を入力する欄については、文字数が多いときには表示を左右にスクロールすることができる。
【００６６】
制御部３４は、第１の文字列の欄に入力される文字については、デジタルカメラ１００で使用し得るものか否かを判定し、第２の文字列の欄に入力される文字については、パーソナルコンピュータ２００で使用し得るものか否かを判定する。そして、使用し得ない文字については、入力を受け付けない。なお、第２の文字列として入力される文字については、制御部３４は言語に応じた文字変換も行う。
【００６７】
上記の機能によって画像ファイルのファイル名および画像フォルダのフォルダ名を変更する際に、パーソナルコンピュータ２００が表示部３９に表示する案内画面の例を図１０および図１１にそれぞれ示す。これらの案内画面には、対応づけられた第１の文字列と第２の文字列が全て表示される。また、第１の文字列と第２の文字列のどちらを変更前のファイル名に含まれる文字列とし、どちらを変更後のファイル名に含まれる文字列とするかを示すために、「変更前」、「変更後」という見出しと、矢印とが表示される。図１０、図１１に示した例はいずれも、第１の文字列と第２の文字列が３組定められていて、第１の文字列を第２の文字列で置き換えるときのものである。
【００６８】
図１０のような案内画面が表示されている状態で、ファイル名の変更処理を継続する指示が与えられると、ファイル名の変更の対象となる全ての画像ファイルに記録されている画像のサムネイル画像が並べて表示され、各画像ファイルのファイル名も表示される。この例を図１２の（ａ）に示す。これは、ファイル名の前半部が「ＹＡＭＡ」、「ＭＩＹＡ」または「ＴＲＡＶ」であって、後半部が「０００１」、「０００２」または「０００３」である計９つの画像ファイルが存在していたときのものである。
【００６９】
図１２（ａ）のような案内画面が表示されている状態で、さらにファイル名の変更処理を継続する指示が与えられると、ファイル名の変更が実行され、表示中のファイル名が変更後のものに更新される。この表示の例を図１２の（ｂ）に示す。この例では、ファイル名の前半部である「ＹＡＭＡ」、「ＭＩＹＡ」および「ＴＲＡＶ」が、図１０の対応関係に従って、それぞれ「山田取材」、「宮本宅」および「京都旅行」で置き換えられている。
【００７０】
図１１のような案内画面が表示されている状態で、フォルダ名の変更処理を継続する指示が与えられると、フォルダ名の変更の対象となる全ての画像フォルダが図形（アイコン）として並べて表示され、各画像フォルダのフォルダ名も表示される。この例を図１３の（ａ）に示す。これは、フォルダ名の後半部が「ＹＡＭＡＤ」、「ＭＩＹＡＭ」または「ＴＲＡＶＥ」である３つの画像フォルダが存在していたときのものである。
【００７１】
図１３（ａ）のような案内画面が表示されている状態で、さらにフォルダ名の変更処理を継続する指示が与えられると、フォルダ名の変更が実行され、表示中のフォルダ名が変更後のものに更新される。この表示の例を図１３の（ｂ）に示す。この例では、ファイル名の後半部である「ＹＡＭＡＤ」、「ＭＩＹＡＭ」および「ＴＲＡＶＥ」が、図１１の対応関係に従って、それぞれ「山田取材」、「宮本宅」および「京都旅行」で置き換えられている。
【００７２】
第２の文字列を第１の文字列に置き換える場合のファイル名およびフォルダ名の変更も、同様の案内画面に沿って行われる。その場合、図１０、図１１の「変更前」、「変更後」の見出しは位置を逆にして表示され、矢印も逆向きに表示される。
【００７３】
第１の文字列と第２の文字列を対応づけるルックアップテーブルは、複数作成することが可能であり、第１の文字列と第２の文字列の一方が同じで他方が異なる組を、異なるルックアップテーブルに記録しておくことができる。これにより、変更前のファイル名が同じでも、変更後のファイル名を違えるようにすることができる。このように、複数のフックアップテーブルを作成したときは、各ルックアップテーブルに固有の名前を付しておき、ファイル名またはフォルダ名の変更の案内画面において、どのルックアップテーブルを用いるかを使用者が選択するようにする。
【００７４】
パーソナルコンピュータ２００は、画像ファイルのファイル名および画像フォルダのフォルダ名の変更を禁止する機能を有する。また、画像ファイルおよび画像フォルダの削除を禁止する機能も有する。これは、第３の文字列を入力して記憶しておき、ファイル名、フォルダ名の変更または画像ファイル、画像フォルダの削除の指示が与えられたときに、指示された画像ファイルのファイル名または画像フォルダのフォルダ名に第３の文字列が含まれているか否かを調べて、含まれていれば、ファイル名、フォルダ名の変更や画像ファイル、画像フォルダの削除を行わないというものである。
【００７５】
ファイル名およびフォルダ名の変更についてのこの機能は、ファイル名やフォルダ名を個別に変更するときだけでなく、前述のように、第１の文字列を第２の文字列で置き換えたり、第２の文字列を第１の文字列で置き換えたりするときにも働く。したがって、第３の文字列として第１の文字列に加えて他の文字列を含むものを入力しておけば、第１の文字列を含む全てのファイル名またはフォルダ名のうち、一部のみを除いて、変更することもできる。例えば、図１０、図１２に示した例において、第３の文字列として「ＹＡＭＡ０００３」を入力しておけば、「ＹＡＭＡ０００３．ＪＰＧ」を除く８つのファイル名を変更することができる。
【００７６】
第３の文字列を入力するための案内画面を図１４、図１５に示す。図１４は画像ファイルについての案内画面、図１５は画像フォルダについての案内画面である。第３の文字列は複数入力することが可能であり、案内画面には複数の入力欄が設けられている。使用者がキーボード３６のカーソルキーまたはマウス３７を用いて選択した欄が入力の対象となり、キーボード３６より入力された文字は順次その欄に表示されていく。エンターキーの操作によってその欄の入力が確定し、入力の対象は次の欄に移る。
【００７７】
図１４の例では、「ＴＲＡＶ」という文字列を含む全てのファイル名の変更が禁止され、それらのファイル名を有する全ての画像ファイルの削除が禁止される。また、図１５の例では、「ＴＲＡＶＥ」という文字列を含む全てのフォルダ名の変更が禁止され、それらのフォルダ名を有する全ての画像フォルダの削除が禁止される。
【００７８】
第３の文字列として使用可能な文字は、パーソナルコンピュータ２００で使用し得るもの全てである。したがって、第１の文字列を第２の文字列で置き換えるときだけでなく、第２の文字列を第１の文字列で置き換えるときにも、特定のファイル名や特定のフォルダ名の変更を禁止することができる。なお、第３の文字列もハードディスク３３に記憶される。
【００７９】
第３の文字列が設定されているときの、ファイル名の変更の案内画面の例を図１６に示す。この例は、図１４に示したように「ＴＲＡＶ」が第３の文字列として設定されているときに、図１２（ａ）に続くファイル名の変更処理を行おうとしたときのものである。
【００８０】
このように、変更を行おうとするファイル名の中に第３の文字列を含むものがあれば、変更が禁じられているファイル名があることを示すメッセージを表示するとともに、そのファイル名が付与されている画像ファイルのサムネイル画像を他のサムネイル画像とは異なる態様で表示し、そのファイル名に含まれる第３の文字列の部分を他のファイル名とは異なる態様で表示する。この例では、サムネイル画像に枠を加え、文字を太字とすることで表示態様を変えている。変更が禁じられているファイル名があるときには、その旨を音声出力で知らせるようにしてもよい。
【００８１】
このような案内画面が表示されている状態で、さらにファイル名の変更処理を継続する指示が与えられると、第３の文字列を含まないファイル名の変更が行われ、図１２（ｂ）に示したように、表示中のファイル名が更新される。ただし、変更されなかったファイル名およびそれが付与された画像ファイルのサムネイル画像は、表示から除かれる。
【００８２】
第３の文字列が設定されているときの、フォルダ名の変更の案内画面の例を図１７に示す。この例は、図１５に示したように「ＴＲＡＶＥ」が第３の文字列として設定されているときに、図１３（ａ）に続くフォルダ名の変更処理を行おうとしたときのものである。
【００８３】
このように、変更を行おうとするフォルダ名の中に第３の文字列を含むものがあれば、変更が禁じられているフォルダ名があることを示すメッセージを表示するとともに、そのフォルダ名が付与されている画像フォルダのアイコンを他の画像フォルダのアイコンとは異なる態様で表示し、そのフォルダ名に含まれる第３の文字列の部分を他のフォルダ名とは異なる態様で表示する。この例では、アイコンの縁の色を変え、文字を太字とすることで表示態様を変えている。
【００８４】
このような案内画面が表示されている状態で、さらにフォルダ名の変更処理を継続する指示が与えられると、第３の文字列を含まないファイル名の変更が行われ、図１３（ｂ）に示したように、表示中のファイル名が更新される。ただし、変更されなかったフォルダ名およびそれが付与された画像フォルダのアイコンは、表示から除かれる。
【００８５】
第３の文字列が設定されているときの、画像ファイルの削除の案内画面の例を図１８に示す。この例は、「京都旅行」が第３の文字列として設定されているときのものである。画像ファイルの削除の案内画面には、使用者によって指定された全ての画像ファイルに記録されている画像のサムネイル画像が並べて表示され、各画像ファイルのファイル名が表示される。その際、第３の文字列をファイル名に含む画像ファイルがあれば、削除が禁じられている画像ファイルが存在することを示すメッセージを表示するとともに、その画像ファイルのサムネイル画像を他のサムネイル画像とは異なる態様で表示する。ファイル名の変更の場合と同様に、ファイル名のうち第３の文字列の部分を他のファイル名とは異なる態様で表示するようにしてもよい。
【００８６】
このような案内画面が表示されている状態で、さらに画像ファイルの削除処理を継続する指示が与えられると、ファイル名に第３の文字列を含まない画像ファイルの削除が行われる。
【００８７】
第３の文字列が設定されているときの、画像フォルダの削除の案内画面の例を図１９に示す。この例も、「京都旅行」が第３の文字列として設定されているときのものである。画像ファイルの削除の案内画面には、使用者によって指定された全ての画像フォルダがアイコンとして並べて表示され、各画像フォルダのフォルダ名が表示される。その際、第３の文字列をフォルダ名に含む画像フォルダがあれば、削除が禁じられている画像フォルダが存在することを示すメッセージを表示するとともに、その画像フォルダのアイコンを他の画像フォルダのアイコンとは異なる態様で表示する。フォルダ名の変更の場合と同様に、フォルダ名のうち第３の文字列の部分を他のフォルダ名とは異なる態様で表示するようにしてもよい。
【００８８】
このような案内画面が表示されている状態で、さらに画像フォルダの削除処理を継続する指示が与えられると、フォルダ名に第３の文字列を含まない画像ファイルの削除が行われる。
【００８９】
なお、第３の文字列によって、全てのファイル名の変更が禁止されているときや全ての画像ファイルの削除が禁止されているときには、ファイル名の変更のための案内画像や画像ファイルの削除のための案内画像を表示しないようにして、操作自体を行えないようにしてもよい。画像フォルダについても同様である。
【００９０】
このようにファイル名やフォルダ名に含まれる文字列によってファイル名、フォルダ名の変更や画像ファイル、画像フォルダの削除を禁止することは、デジタルカメラ１００においても採用することが可能である。その場合、画像ファイルについては、文字列はファイル名の前半部に対応し、したがって、４文字に限られる。また、画像フォルダについては、文字列はフォルダ名の後半部に対応し、５文字に限られる。さらに、それらの文字列は、デジタルカメラ１００で使用できる文字のみを含むことになる。
【００９１】
デジタルカメラ１００でこれら文字列を入力するための案内画面を図２０および図２１に示す。図２０はファイル名についての案内画面、図２１はフォルダ名についての案内画面である。これらの案内画面は、ファイル名の前半部やフォルダ名の後半部を設定するための案内画面（図４、図５）と類似しており、同様の操作で、文字列を設定することができる。複数の文字列の設定も可能である。
【００９２】
デジタルカメラ１００で設定したファイル名、フォルダ名の変更および画像ファイル、画像フォルダの削除の禁止の情報をパーソナルコンピュータ２００に与えて、パーソナルコンピュータ２００でのファイル名、フォルダ名の変更や画像ファイル、画像フォルダの削除の禁止のために利用することもできる。
【００９３】
この場合、デジタルカメラ１００は、画像ファイルについては、ファイル名の変更および画像ファイルの削除の可否を示す情報をその画像ファイルのタグ（ヘッダ）に記録しておき、パーソナルコンピュータ２００は、その情報をそのまま保存し、ファイル名の変更または画像ファイルの削除に際して、画像ファイルのタグを参照して、禁止されているか否かを判断する。画像フォルダについても同様に、フォルダ名の変更および画像フォルダの削除の可否を示す情報をその画像フォルダのタグに記録しておき、パーソナルコンピュータ２００は、その情報をそのまま保存し、フォルダ名の変更または画像フォルダの削除に際して、画像フォルダのタグを参照して、禁止されているか否かを判断する。
【００９４】
この場合の画像ファイルの取り扱いを図２２の（ａ）に示し、画像フォルダの取り扱いを図２３の（ａ）に示す。
【００９５】
パーソナルコンピュータ２００は、第１、第２の文字列を用いてファイル名やフォルダ名を変更する前述の機能を実行したときは、その変更に用いたルックアップテーブルの名前を、ファイル名を変更した後の画像ファイルのタグやフォルダ名を変更した後の画像フォルダのタグに記録する。図２２（ａ）では、パーソナルコンピュータ２００が、「ａ１２３」という名前のルックアップテーブルを用いてファイル名の変更を行っており、図２３（ａ）では、「ｂ１２３」という名前のルックアップテーブルを用いてフォルダ名の変更を行っている。
【００９６】
このようにファイル名の変更および画像ファイルの削除の可否を示す情報がタグに記録された画像ファイルを、逆に、パーソナルコンピュータ２００からデジタルカメラ１００に与えるときも、デジタルカメラ１００ではその情報をそのまま保存しておく。同様に、フォルダ名の変更および画像フォルダの削除の可否を示す情報がタグに記録された画像フォルダを、パーソナルコンピュータ２００からデジタルカメラ１００に与えるときも、デジタルカメラ１００ではその情報をそのまま保存しておく。
【００９７】
また、ルックアップテーブルの名前がタグに記録されているときは、デジタルカメラ１００はその名前をそのまま保存する。この様子を図２２の（ｂ）および図２３の（ｂ）に示す。このように、ルックアップテーブルの名前をそのまま保存することで、同一の画像ファイルや画像フォルダを再度デジタルカメラ１００からパーソナルコンピュータ２００に送信し、あるいは記録媒体１０１に記録してパーソナルコンピュータに２００に与えるときでも、パーソナルコンピュータ２００は、前回と同一のルックアップテーブルを用いてファイル名やフォルダ名を変更することができる。
【００９８】
デジタルカメラ１００で、ファイル名の変更および画像ファイルの削除を禁止したときは、上述のように画像ファイルのタグに変更および削除が不可であることを示す情報を記録することに代えて、不可とする基準に用いた文字列を画像ファイルのタグに記録するようにしてもよい。画像フォルダについても同様である。このようにすると、パーソナルコンピュータ２００は、その文字列を第３の文字列として利用することが可能になり、より多くの画像ファイルや画像フォルダを保護することができるようになる。
【００９９】
例えば、パーソナルコンピュータ２００がその文字列をファイル名に含む画像ファイルをデジタルカメラ１００から既に得ており、その後にデジタルカメラ１００でその文字列を含むファイル名の変更やその画像ファイルの削除を禁止したときに、既に得ている画像ファイルについても、ファイル名の変更や削除を禁止することができる。
【０１００】
なお、ここに示したデジタルカメラ１００とは異なり、画像ファイルのファイル名の前半部や画像フォルダのフォルダ名の後半部の使用者による設定を認めず、それらを常に一定の文字列とするデジタルカメラで作成された画像ファイルや画像フォルダを取り扱う場合は、ファイル名やフォルダ名に含まれる第１の文字列を第２の文字列で置き換えることの意義は少なくなる。
【０１０１】
この場合は、次のようにするとよい。すなわち、デジタルカメラでは、例えば図４、図５に示した手順で使用者が入力した文字列を、画像ファイルや画像フォルダのタグに記録する。これにより、ファイル名の前半部が同じ画像ファイルを、内容に応じて区別することや、フォルダ名の後半部が同じ画像フォルダを、収容している画像ファイルの関連に応じて区別することが可能になる。パーソナルコンピュータでは、デジタルカメラから得た画像ファイルや画像フォルダのタグに記録されている文字列が第１の文字列に一致するか否かを調べて、一致しているときには、ファイル名の前半部やフォルダ名の後半部を第２の文字列で置き換える。
【０１０２】
この方法では、ファイル名の前半部のみ、あるいはフォルダ名の後半部のみが変更され、ファイル名やフォルダ名に含まれる第１の文字列を第２の文字列で置き換える前述の方法に比べて、ファイル名やフォルダ名の変更の自由度は小さいが、一部の画像ファイルのみのファイル名や、一部の画像フォルダのみのフォルダ名を変更することができる。また、同一の文字列がタグに記録されている複数の画像ファイルや画像フォルダについて、一括してファイル名やフォルダ名を変更することが可能である。
【図面の簡単な説明】
【０１０３】
【図１】本発明の撮像装置の一実施形態であるデジタルカメラを模式的に示す図。
【図２】上記デジタルカメラの構成を模式的に示す図。
【図３】上記デジタルカメラにおけるフォルダ構造を示す図。
【図４】上記デジタルカメラが画像ファイルのファイル名の前半部を設定するために表示する案内画面を示す図。
【図５】上記デジタルカメラが画像フォルダのフォルダ名の後半部を設定するために表示する案内画面を示す図。
【図６】本発明の画像処理装置の一実施形態であるパーソナルコンピュータを模式的に示す図。
【図７】上記パーソナルコンピュータの構成を模式的に示す図。
【図８】上記パーソナルコンピュータが、ファイル名の変更に用いる第１の文字列と第２の文字列を入力するために表示する案内画面を示す図。
【図９】上記パーソナルコンピュータが、フォルダ名の変更に用いる第１の文字列と第２の文字列を入力するために表示する案内画面を示す図。
【図１０】上記パーソナルコンピュータが画像ファイルのファイル名を変更する際に表示する案内画面の例を示す図。
【図１１】上記パーソナルコンピュータが画像フォルダのフォルダ名を変更する際に表示する案内画面の例を示す図。
【図１２】上記パーソナルコンピュータが画像ファイルのファイル名を変更する際に図１０の案内画面に続いて表示する案内画面の例（ａ）と、ファイル名変更後に表示する画面の例（ｂ）を示す図。
【図１３】上記パーソナルコンピュータが画像フォルダのフォルダ名を変更する際に図１１の案内画面に続いて表示する案内画面の例（ａ）と、ファイル名変更後に表示する画面の例（ｂ）を示す図。
【図１４】上記パーソナルコンピュータが、ファイル名の変更および画像ファイルの削除の禁止に用いる第３の文字列を入力するために表示する案内画面を示す図。
【図１５】上記パーソナルコンピュータが、フォルダ名の変更および画像フォルダの削除の禁止に用いる第３の文字列を入力するために表示する案内画面を示す図。
【図１６】上記パーソナルコンピュータが、第３の文字列が設定されているときに、ファイル名の変更に際して表示する案内画面の例を示す図。
【図１７】上記パーソナルコンピュータが、第３の文字列が設定されているときに、フォルダ名の変更に際して表示する案内画面の例を示す図。
【図１８】上記パーソナルコンピュータが、第３の文字列が設定されているときに、画像ファイルの削除に際して表示する案内画面の例を示す図。
【図１９】上記パーソナルコンピュータが、第３の文字列が設定されているときに、画像フォルダの削除に際して表示する案内画面の例を示す図。
【図２０】上記デジタルカメラが、ファイル名の変更および画像ファイルの削除の禁止に用いる文字列を入力するために表示する案内画面を示す図。
【図２１】上記デジタルカメラが、フォルダ名の変更および画像フォルダの削除の禁止に用いる文字列を入力するために表示する案内画面を示す図。
【図２２】上記デジタルカメラがファイル名の変更および画像ファイルの削除を禁止して、その情報を上記パーソナルコンピュータに与えるときの画像ファイル（ａ）と、上記パーソナルコンピュータがその画像ファイルのファイル名を変更した後、ファイル名を戻して上記デジタルカメラに戻すときの画像ファイル（ｂ）を示す図。
【図２３】上記デジタルカメラがフォルダ名の変更および画像フォルダの削除を禁止して、その情報を上記パーソナルコンピュータに与えるときの画像フォルダ（ａ）と、上記パーソナルコンピュータがその画像フォルダのフォルダ名を変更した後、フォルダ名を戻して上記デジタルカメラに戻すときの画像フォルダ（ｂ）を示す図。
【符号の説明】
【０１０４】
１００    デジタルカメラ
１    撮影レンズ
２    ＣＣＤエリアセンサ
３    ファインダ前窓
４    フラッシュ発光部
５    レリーズボタン
６    液晶表示器
７    モード設定ボタン
８    記録媒体挿入口
９    液晶表示器
１０    ファインダ後窓
１１    ズームボタン
１２    スピーカ
１３    十字ボタン
１４    操作ボタン
１５    アナログ処理部
１６    画像処理部
１７    画像記憶部
１８    操作部
１９    記憶部
２０    接続部
２１    制御部
１０１    記録媒体
２００    パーソナルコンピュータ
３１    ＣＰＵ
３２    メモリ
３３    ハードディスク
３４    制御部
３５    本体
３６    キーボード
３７    マウス
３８    入力部
３９    表示部
４０    接続部
【図１】
2005157615.tif 000003
【図２】
2005157615.tif 000004
【図３】
2005157615.tif 000005
【図４】
2005157615.tif 000006
【図５】
2005157615.tif 000007
【図６】
2005157615.tif 000008
【図７】
2005157615.tif 000009
【図８】
2005157615.tif 000010
【図９】
2005157615.tif 000011
【図１０】
2005157615.tif 000012
【図１１】
2005157615.tif 000013
【図１２】
2005157615.tif 000014
【図１３】
2005157615.tif 000015
【図１４】
2005157615.tif 000016
【図１５】
2005157615.tif 000017
【図１６】
2005157615.tif 000018
【図１７】
2005157615.tif 000019
【図１８】
2005157615.tif 000020
【図１９】
2005157615.tif 000021
【図２０】
2005157615.tif 000022
【図２１】
2005157615.tif 000023
【図２２】
2005157615.tif 000024
【図２３】
2005157615.tif 000025